(57)【要約】【課題】同じ遠心分離機であっても、運転・停止後にドアを自動で開けるか手動で開けるかの選択を使用目的に応じて適宜自由に行うことができる遠心分離機を提供すること。【解決手段】駆動部４と、該駆動部４によって回転駆動されるロータ３と、該ロータ３を収容する回転室５と、該回転室５を開閉するドア７と、該ドア７の開閉をロックするドアロック機構９と、前記駆動部４と前記ドアロック機構９を制御するための制御部６と、運転条件の設定やドア７を開けるためのスイッチを備えた操作部２と、運転条件や運転状態を表示するための表示部１を有する遠心分離機において、前記表示部１に、運転・停止後に前記ドア７を自動で開けるか手動で開けるかの選択が可能な設定機能を設ける。【選択図】図１
2008093588.tif 000002
【特許請求の範囲】
【請求項１】
駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定やドアを開けるためのスイッチを備えた操作部と、運転条件や運転状態を表示するための表示部を有する遠心分離機において、
前記表示部に運転・停止後に前記ドアを自動で開けるか手動で開けるかの選択が可能な設定機能を設けたことを特徴とする遠心分離機。
【請求項２】
前記表示部に、運転・停止後に前記ドアを自動で開けるか手動で開けるかの条件を表示する画面を設けるとともに、該画面の表示に基づいて前記操作部によって前記ドアを自動で開けるか手動で開けるかの設定が可能な機能を設けたことを特徴とする請求項１記載の遠心分離機。
【請求項３】
前記表示部に、運転・停止後に前記ドアを自動で開ける場合において、停止してからドアを開けるまでの時間を設定することができるタイマ機能を設けたことを特徴とする請求項１又は２記載の遠心分離機。
【発明の詳細な説明】
【技術分野】
【０００１】
本発明は、試料が挿入されたロータを回転駆動することによって試料を遠心分離するための遠心分離機に関するものである。
【背景技術】
【０００２】
この種の遠心分離機においては、分離するサンプル（試料）に合せて使用者が回転速度、運転時間（分離時間）、温度（保持温度）、加速勾配、減速勾配等の運転条件を操作部から設定する。そして、試料が挿入されたロータを回転室にセットし、ドアを閉めて操作部のスタートスイッチを押すことによってロータが回転駆動される。ロータが操作部にて設定された回転速度まで加速されて整定し、設定された運転時間が経過するとロータの回転が自動的に減速されて停止する。
【０００３】
ところで、遠心分離機には、ロータの回転が停止したときにドアを自動で開けるものと、使用者が手動でドアを開けるものがあり、遠心分離の種類や使用目的によって運転・停止後のドアを開ける条件が異なっている。
【０００４】
主に冷凍機を搭載し、分離するサンプルの温度を操作部で設定された温度に保持するタイプの遠心分離機等は、運転・停止後は自動でドアを開けない場合が多い。これに対して冷凍機を搭載しない遠心分離機は、運転・停止後に自動でドアを開ける場合が多い。運転・停止後のドアを自動で開けるか、使用者が手動でドア開けるかは、予め遠心分離機メーカが遠心分離機毎に決めている。
【特許文献１】特開２００６−１４２１６９号公報
【発明の開示】
【発明が解決しようとする課題】
【０００５】
しかしながら、従来は、上述のように運転・停止後にドアを自動で開けるか手動で開けるかは遠心分離機毎に予め決められており、運転・停止後にドアを自動で開けるか手動で開けるかの選択を遠心分離機の使用目的に応じて適宜行うことは不可能であった。
【０００６】
例えば、冷凍機搭載型の遠心分離機を薬品等の生産に使用する場合や病院で血液等の数多い検体を次々に分離する場合は、運転・停止後にドアを自動で開けるようにすれば、手動でドアを開ける必要がないため、分離したサンプルを取り出した後、すぐに次のサンプルを遠心分離機にセットすることができ、遠心分離の作業効率が向上する。
【０００７】
又、冷凍機搭載型の遠心分離機であっても、運転・停止後も操作部から設定された温度に保持させておきたい場合等はドアを自動で開ける必要がない。
【０００８】
本発明は上記事情に鑑みてなされたもので、その目的とする処は、同じ遠心分離機であっても、運転・停止後にドアを自動で開けるか手動で開けるかの選択を使用目的に応じて適宜自由に行うことができる遠心分離機を提供することにある。
【課題を解決するための手段】
【０００９】
上記目的を達成するため、請求項１記載の発明は、駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定やドアを開けるためのスイッチを備えた操作部と、運転条件や運転状態を表示するための表示部を有する遠心分離機において、前記表示部に、運転・停止後に前記ドアを自動で開けるか手動で開けるかの選択が可能な設定機能を設けたことを特徴とする。
【００１０】
請求項２記載の発明は、請求項１記載の発明において、前記表示部に、運転・停止後に前記ドアを自動で開けるか手動で開けるかの条件を表示する画面を設けるとともに、該画面の表示に基づいて前記操作部によって前記ドアを自動で開けるか手動で開けるかの設定が可能な機能を設けたことを特徴とする。
【００１１】
請求項３記載の発明は、請求項１又は２記載の発明において、前記表示部に、運転・停止後に前記ドアを自動で開ける場合において、停止してからドアを開けるまでの時間を設定することができるタイマ機能を設けたことを特徴とする。
【発明の効果】
【００１２】
請求項１記載の発明によれば、表示部に、運転・停止後にドアを自動で開けるか手動で開けるかの選択が可能な設定機能を設けたため、同じ遠心分離機であっても、使用者は、運転・停止後にドアを自動で開けるか手動で開けるかの選択を使用目的に応じて適宜自由に行うことができる。
【００１３】
請求項２記載の発明によれば、使用者は、表示部に表示される画面に従って運転・停止後にドアを自動で開けるか手動で開けるかの条件を操作部から自由に設定することができる。
【００１４】
請求項３記載の発明によれば、運転・停止後にドアを自動で開ける場合には、停止してからドアを開けるまでの時間を設定することができるため、遠心分離機の使い勝手が良くなる。
【発明を実施するための最良の形態】
【００１５】
以下に本発明の実施の形態を添付図面に基づいて説明する。
【００１６】
先ず、本発明に係る遠心分離機の基本構成を図１及び図２に基づいて説明する。
【００１７】
図１はドアが閉じた状態を示す遠心分離機の断面図、図２はドアを開けた状態を示す遠心分離機の断面図であり、図示の遠心分離機の筐体８の上部には表示部１と操作部２が設けられており、筐体８の内部には回転室５と制御部６及びドアロック機構９が収容されている。
【００１８】
上記回転室５は、その上面開口部がドア７によって開閉され、回転室５の内部には回転可能なロータ３が収容されている。このロータ３は、駆動部４によって回転駆動され、この駆動部４は前記制御部６によってその駆動が制御される。尚、前記ドア７は、ドアスプリング１０によって常時開き側に付勢されている。又、前記表示部１と前記ドアロック機構は、制御部６に電気的に接続されている。
【００１９】
而して、以上のように構成された遠心分離機は、分離するサンプル（試料）に合せて使用者が回転速度、運転時間（分離時間）、温度（保持温度）、加速勾配、減速勾配等の運転条件を操作部２から設定する。そして、試料が挿入されたロータ３を回転室５にセットし、ドア７を閉めて、操作部２に設けられた不図示のスタートスイッチを押すことによって遠心分離機の運転が開始される。
【００２０】
ここで、図１はドア７を閉じた状態を示しており、このとき、ドアロック機構９のロックピン１１がドア７のドアフック１２の係合孔に係合することによってドア７がロックされる。又、図２はドア７を開けた状態を示しており、ドアロック機構９がドアロックを解除すると、図１に示すように閉じていたドア７がドアスプリング１０の付勢力によって図２に示すように開く。従って、ドアロック機構９がドア７をロックしているときには「ドア閉」で、ドアロック機構９がドア７をアンロック（ドアロックの解除）しているときには「ドア開」となる。以降、「ドア閉」とはドアロック機構９がロック状態を維持している状態を示し、「ドア開」とはドアロック機構９がアンロック状態にあることを示す。
【００２１】
ところで、本実施の形態では、ドア７の開閉は、制御部６に内蔵された不図示のマイクロコンピュータで制御されている。運転・停止後にドア７を自動で開ける場合は、制御部６は、ロータ３の回転が停止したと判断したときにドアロック機構９に対してドアアンロックの制御信号が出力する。
【００２２】
又、手動でドア７を開ける場合には、操作パネル２に設けられた不図示のドア開スイッチが押されたと制御部６が判断すると、制御部６は、ドアロック機構９に対してドアアンロックの制御信号を出力する。尚、殆どの遠心分離機は、運転中にロータ３が高速で回転していることから安全のために図１に示すようにドアロック機構９をロック状態とし、操作部２のドア開スイッチが押されてもドアロック状態を保持するようになっている。
【００２３】
図３は遠心分離機の運転・停止後のドア開設定画面を示しており、本画面は、多種の機能を付加させるためにより多くの情報を表示することができるＬＣＤ（液晶ディスプレイ）の表示装置に表示される。以下、この停止後のドア開設定画面について説明する。
【００２４】
運転・停止後に「ドア開」を行わせる場合は、停止後のドア開設定１００項の設定ボックス１０１に「自動でドア開」の“１”を設定する。又、停止してから自動でドア開するまでの時間を設定する場合は、設定ボックス１０２に分・秒で時間を設定し、停止後直ぐにドア開する場合は「０分０秒」を設定する。停止後に手動でドア開する場合は、設定ボックス１０２に「手動でドア開」の“２”を設定し、この場合は設定ボックス１０２の停止からのドア開時間は無効となる。
【００２５】
次に、図３に示す画面で「停止後のドア開設定」を行う動作を図４に示すフローチャートに従って説明する。
【００２６】
ドア７が閉められて遠心分離機の運転が開始されると（ステップ１１０）、ドア閉（ドアロック機構９をドアロック状態）とし（ステップ１１１）、使用者によって操作部２から設定された運転時間が経過する運転を継続する（ステップ１１２）。そして、設定された運転時間が経過すると（ステップ１１２での判断結果がＹＥＳの場合）、遠心分離機の減速処理を行ってロータ３の回転を減速させ（ステップ１１３）、遠心分離機が停止するまで待つ（ステップ１１４）。
【００２７】
遠心分離機が停止すると（ステップ１１４での判断結果がＹＥＳ）、図３に示す画面で「自動でドア開」と設定されている場合（ステップ１１５での判断結果がＹＥＳである場合）は、図３の画面の設定ボックス１０２で設定した時間をドア開タイマにセットし（ステップ１１６）、ドア開タイマにセットした時間が経過するまで待ち（ステップ１１７）、ドア開タイマにセットした時間が経過すると（ステップ１１７での判断結果がＹＥＳ（タイマ＝０））、制御部６はドアロック機構９にドアアンロックの制御信号を出力してドア開（ドアアンロック状態）とする（ステップ１１９）。
【００２８】
他方、図３の画面で「手動でドア開」と設定されている場合（ステップ１１５での判断結果がＮＯの場合）は、使用者が操作部２に設けられたドア開スイッチが押される（オンされる）まで待ち（ステップ１１８）、ドア開スイッチが押されると（ステップ１１８での判断結果がＹＥＳ）、制御部６はドアロック機構９にドアアンロックの制御信号を出力してドア開（ドアアンロック状態）とする（ステップ１１９）。尚、ドア７を閉めると同時にドアロック機構９が動作してドア７がロックされるよう構成しても良い。
【００２９】
以上のように、本実施の形態によれば、表示部に運転・停止後にドアを自動で開けるか手動で開けるかの選択が可能な設定機能を設けたため、同じ遠心分離機であっても、使用者は、運転・停止後にドアを自動で開けるか手動で開けるかの選択を使用目的に応じて適宜自由に行うことができる。
【００３０】
又、使用者は、表示部に表示される画面に従って運転・停止後にドアを自動で開けるか手動で開けるかの条件を操作部から自由に設定することができる。
【００３１】
更に、運転・停止後にドアを自動で開ける場合には、停止してからドアを開けるまでの時間を設定することができるため、遠心分離機の使い勝手が良くなる。
【図面の簡単な説明】
【００３２】
【図１】本発明に係る遠心分離機のドアが閉じられた状態を示す断面図である。
【図２】本発明に係る遠心分離機のドアが開けられた状態を示す断面図である。
【図３】本発明に係る遠心分離機の運転停止後のドア開設定画面を示す図である。
【図４】本発明に係る遠心分離機の運転・停止後のドア開動作の手順を示すフローチャートである。
【符号の説明】
【００３３】
１      表示部
２      操作部
３      ロータ
４      駆動部
５      回転室
６      制御部
７      ドア
８      筐体
９      ドアロック機構
１０    ドアスプリング
１１    ロックピン
１２    ドアフック
１００  設定画面
１０１  ドア開設定ボックス
１０２  時間設定ボックス
【図１】
2008093588.tif 000003
【図２】
2008093588.tif 000004
【図３】
2008093588.tif 000005
【図４】
2008093588.tif 000006